(57)【特許請求の範囲】
【請求項１】
住宅における消費電力の測定結果を取得する取得部と、
前記取得部により取得された測定結果に基づいて前記住宅において防犯対策を必要とする度合いである防犯必要度を決定する決定部と、
前記決定部により決定された防犯必要度に応じて防犯に関する情報を出力する出力部とを備え、
前記取得部は、住宅の前記消費電力の測定結果の他に当該住宅の施解錠状態を示す施錠情報を取得し、
前記決定部は、前記施錠情報を統計処理し、前記消費電力の測定結果と統計処理された前記施錠情報とに基づいて前記決定を行う
防犯管理装置。
【請求項２】
前記取得部が取得する前記測定結果は、前記住宅における消費電力の経時的変化を示し、
前記決定部は、前記測定結果から前記住宅における住人の生活パターンを推定し、推定した生活パターンに応じて、前記決定を行う
請求項１記載の防犯管理装置。
【請求項３】
前記決定部は、防犯対策を要する事象が発生した１以上の住宅各々における住人の生活パターンと当該事象とに基づいて定められた、生活パターンと防犯必要度との対応関係を示す対応関係情報に基づいて、前記決定を行う
請求項２記載の防犯管理装置。
【請求項４】
前記決定部は、生活パターンと防犯必要度との対応関係を示す、予め定められた対応関係情報に基づいて、前記決定を行う
請求項２記載の防犯管理装置。
【請求項５】
前記決定部は、前記測定結果に基づき所定期間毎に前記住宅における住人が外出しているか、在宅中でありかつ睡眠中であるか、及び、在宅中でありかつ睡眠中でないかを区別する生活パターンを推定することにより前記決定を行う
請求項１〜４のいずれか一項に記載の防犯管理装置。
【請求項６】
前記決定部は、所定の単位時間毎に防犯必要度の前記決定を行い、
前記出力部は、前記所定の単位時間毎の防犯必要度を示す情報を表示する
請求項１〜５のいずれか一項に記載の防犯管理装置。
【請求項７】
前記防犯管理装置は更に、防犯必要度毎に当該防犯必要度に対応して住宅において実施されるべき防犯対策を示す防犯情報を記憶する記憶部を備え、
前記出力部は、前記防犯情報を参照して、前記決定部により決定された防犯必要度に対応する防犯対策を示す防犯対策情報を表示する
請求項１〜６のいずれか一項に記載の防犯管理装置。
【請求項８】
前記出力部は、前記防犯対策情報に、前記防犯対策を実施するために所定の防犯サービスの情報を含ませ、
前記防犯管理装置は更に、
前記住宅の住人の操作を受ける操作部と、
前記出力部が前記所定の防犯サービスの情報を含む防犯対策情報を表示した場合において前記操作部が前記操作を受けたときには前記所定の防犯サービスに関連する情報を提供する外部のサーバ装置にアクセスする通信部とを備える
請求項７記載の防犯管理装置。
【請求項９】
前記決定部は、前記統計処理において、外出中または睡眠中における平均的な施錠率、及び、外出中または睡眠中における平均的な解錠率の少なくとも一方を算定し、算定結果に基づいて前記決定を行う
請求項１〜８のいずれか１項に記載の防犯管理装置。
【請求項１０】
前記防犯管理装置は更に、前記住宅に在宅中の住人についての防犯を要する事象の発生に対処できる能力を示す防犯能力情報の入力を受け付ける入力部を備え、
前記決定部は、前記入力部により受け付けられた入力に係る防犯能力情報にも基づいて、前記決定を行う
請求項１〜９のいずれか一項に記載の防犯管理装置。
【請求項１１】
住宅における消費電力の測定結果を受信することにより取得する取得ステップと、
前記取得ステップにおいて取得された測定結果に基づいて前記住宅において防犯対策を必要とする度合いである防犯必要度を決定する決定ステップと、
前記決定ステップにおいて決定された防犯必要度に応じて防犯に関する情報を提示する提示ステップとを含み、
前記取得ステップにおいては、住宅の前記消費電力の測定結果の他に当該住宅の施解錠状態を示す施錠情報を取得し、
前記決定部ステップにおいては、前記施錠情報を統計処理し、前記消費電力の測定結果と統計処理された前記施錠情報とに基づいて前記決定を行う
防犯管理方法。
【請求項１２】
コンピュータに所定処理を実行させるための制御プログラムであって、
前記所定処理は、
住宅における消費電力の測定結果を受信することにより取得する取得ステップと、
前記取得ステップにおいて取得された測定結果に基づいて前記住宅において防犯対策を必要とする度合いである防犯必要度を決定する決定ステップと、
前記決定ステップにおいて決定された防犯必要度に応じて防犯に関する情報を提示する提示ステップとを含み、
前記取得ステップにおいては、住宅の前記消費電力の測定結果の他に当該住宅の施解錠状態を示す施錠情報を取得し、
前記決定部ステップにおいては、前記施錠情報を統計処理し、前記消費電力の測定結果と統計処理された前記施錠情報とに基づいて前記決定を行う
制御プログラム。
【請求項１３】
住宅における消費電力の測定結果を取得する取得部と、
前記取得部により取得された測定結果に基づいて前記住宅において防犯対策を必要とする度合いである防犯必要度を決定する決定部と、
前記決定部により決定された防犯必要度に応じて防犯に関する情報を出力する出力部とを備え、
前記取得部は、住宅の前記消費電力の測定結果の他に当該住宅の施解錠状態を示す施錠情報を取得し、
前記決定部は、前記施錠情報を統計処理し、前記消費電力の測定結果と統計処理された前記施錠情報とに基づいて前記決定を行う
防犯管理システム。
【発明の詳細な説明】
【技術分野】
【０００１】
本発明は、防犯対策を管理する技術に関し、特に住宅における防犯に関する情報を出力する防犯管理装置、防犯管理方法及び防犯管理システム、並びに、防犯管理装置に用いられる制御プログラムに関する。
【背景技術】
【０００２】
従来、住宅における防犯対策として、侵入監視用のカメラ等を含む警備システムの導入、警備会社が提供する防犯サービスの契約等が知られている。この警備システムには、在宅警戒モード、外出警戒モード等といった状態に応じて動作を切り替えられる警備装置を含むものがある（例えば、特許文献１参照）。
【先行技術文献】
【特許文献】
【０００３】
【特許文献１】特開２００５−２９３０５７号公報
【発明の概要】
【発明が解決しようとする課題】
【０００４】
ところで、各住宅の住人の防犯に関する知識は必ずしも十分でなく住宅毎に事情が異なることから、各住宅にとってどのような防犯対策を採るべきかの判断は必ずしも容易ではない。【０００５】
そこで、本発明は、住宅における防犯に役立つ情報を出力する防犯管理装置を提供することを目的とする。また、本発明は、この防犯管理装置に関連する防犯管理方法及び制御プログラムを提供することを目的とする。また、本発明は、住宅における防犯に役立つ情報を出力する防犯管理システムを提供することを目的とする。
【課題を解決するための手段】
【０００６】
上記課題を解決するために本発明の一態様に係る防犯管理装置は、住宅における消費電力の測定結果を取得する取得部と、前記取得部により取得された測定結果に基づいて前記住宅において防犯対策を必要とする度合いである防犯必要度を決定する決定部と、前記決定部により決定された防犯必要度に応じて防犯に関する情報を出力する出力部とを備える。【０００７】
また、上記課題を解決するために本発明の一態様に係る防犯管理方法は、住宅における消費電力の測定結果を受信することにより取得する取得ステップと、前記取得ステップにおいて取得された測定結果に基づいて前記住宅において防犯対策を必要とする度合いである防犯必要度を決定する決定ステップと、前記決定ステップにおいて決定された防犯必要度に応じて防犯に関する情報を提示する提示ステップとを含む。【０００８】
また、上記課題を解決するために本発明の一態様に係る制御プログラムは、コンピュータに所定処理を実行させるための制御プログラムであって、前記所定処理は、住宅における消費電力の測定結果を受信することにより取得する取得ステップと、前記取得ステップにおいて取得された測定結果に基づいて前記住宅において防犯対策を必要とする度合いである防犯必要度を決定する決定ステップと、前記決定ステップにおいて決定された防犯必要度に応じて防犯に関する情報を提示する提示ステップとを含む。【０００９】
また、本発明の一態様に係る防犯管理システムは、住宅における消費電力の測定結果を取得する取得部と、前記取得部により取得された測定結果に基づいて前記住宅において防犯対策を必要とする度合いである防犯必要度を決定する決定部と、前記決定部により決定された防犯必要度に応じて防犯に関する情報を出力する出力部とを備える。
【発明の効果】
【００１０】
本発明の防犯管理装置等は、住宅における防犯に役立つ情報を出力する。
【図面の簡単な説明】
【００１１】
【図１】図１は、実施の形態に係る防犯管理装置に関連する装置群を示すシステム概略図である。
【図２】図２は、実施の形態１に係る防犯管理装置の機能ブロック図である。
【図３】図３は、防犯管理装置による防犯管理処理を示すフローチャートである。
【図４】図４は、住宅の消費電力の測定単位となる回路グループの説明図である。
【図５】図５は、防犯管理装置による生活パターン推定処理を示すフローチャートである。
【図６】図６は、生活パターンの推定結果の記録例を示す図である。
【図７】図７は、基準防犯必要度を例示する図である。
【図８】図８は、地域の防犯必要度を例示する図である。
【図９】図９は、防犯必要度を例示する図である。
【図１０】図１０は、防犯情報を例示する図である。
【図１１】図１１は、防犯に関する情報を含む画面例を示す図である。
【図１２】図１２は、実施の形態２に係る防犯管理装置の機能ブロック図である。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
以下、本発明の一実施形態に係る防犯管理装置１００について説明する。
【００１４】
（構成）
図１は、実施の形態１に係る防犯管理装置１００に関連する装置群を示すシステム概略図である。
【００１５】
防犯管理装置１００は同図に示すように住宅２０に設置されており、住宅２０内において電力測定装置２００と通信可能である。また、防犯管理装置１００は、ネットワーク３１を介して外部のサーバ装置３０と通信可能である。ネットワーク３１は、例えばインターネット等の広域ネットワークを含む。なお、図１では省略しているが、住宅２０ａ、住宅２０ｂにおいても住宅２０と同様に防犯管理装置及び電力測定装置を設置している。
【００１６】
この防犯管理装置１００は、防犯管理として、住宅２０における防犯に役立つ情報を提示するための防犯管理方法を実行する機能を有し、例えばスイッチ、タッチパネル等の入力手段、ディスプレイ、メモリ、通信回路及びＣＰＵを備えるコンピュータである。メモリは、プログラム及びデータを予め保持しているＲＯＭ、プログラムの実行に際してデータ等の記憶に利用するためのＲＡＭ等であり、例えば不揮発性メモリを含んでいても良い。ＣＰＵは、メモリに格納された制御プログラムを実行することによりコンピュータの各部を制御して防犯管理方法に係る所定処理（防犯管理処理）を行う。コンピュータである防犯管理装置１００は、例えば、住宅２０のエネルギー管理をするＨＥＭＳ（Home Energy Management System）において、ＨＥＭＳコントローラとして働くものであっても良い。ＨＥＭＳコントローラは、電力測定装置２００による消費電力の測定結果等を用いてエネルギー消費の抑制等のために、住宅２０における１台以上の図示しないＨＥＭＳ機器（例えば電気機器）をＨＡＮ（Home Area Network）を介して制御する機能等を有する。
【００１７】
電力測定装置２００は、住宅２０の分電盤に設置され、電力系統から供給される電力を住宅２０の各部屋、各部に分岐させる分岐回路毎に電流量を監視する電流センサを用いて消費電力を測定して、測定時刻と対応付けた一定期間分の測定結果を出力する装置である。
【００１８】
サーバ装置３０は、例えば警備会社等に設置され、入力手段、ディスプレイ、メモリ、ハードディスク装置等の記憶装置、通信回路及びＣＰＵを備えるコンピュータであり、例えば警備会社が提供する防犯サービスの詳細情報を提示するウェブサーバ機能等を有する。
【００１９】
図２は、防犯管理装置１００の機能ブロック図である。この機能ブロック図では、防犯管理装置１００における防犯管理に関わる主な機能構成要素について示しており、防犯管理装置１００と連携する電力測定装置２００及びサーバ装置３０を付記している。
【００２０】
防犯管理装置１００は、図２に示すように機能面では取得部１１０、決定部１２０、記憶部１３０、出力部１４０、操作部１５０及び通信部１６０を備える。
【００２１】
取得部１１０は、制御プログラムを実行するＣＰＵ、通信回路等により実現される。取得部１１０は、電力測定装置２００が測定した住宅２０における各分岐回路に接続された電気機器の消費電力（使用された電力量）の分岐回路毎の測定結果（測定時刻を含む測定結果）を取得して、その取得した測定結果を決定部１２０に伝達する機能を有する。決定部１２０に伝達される測定結果は、一定期間分の消費電力の推移（経時的変化）を示す。
【００２２】
決定部１２０は、制御プログラムを実行するＣＰＵにより実現され、取得部１１０により取得された測定結果に基づいて、住宅において防犯対策を必要とする度合い（程度）である防犯必要度を決定する機能を有する。防犯必要度の決定は、住宅２０の消費電力の測定結果から住宅２０の住人の生活パターンを推定し、生活パターンと防犯必要度との対応関係を示す予め定められた対応関係情報に基づいて、その推定した生活パターンに応じてなされる。対応関係情報は、対応表、数式、アルゴリズムを表す命令列等である。生活パターンは、住宅の住人の生活上生じる複数の状態の時間的推移を示すパターンである。この状態としては、例えば外出中と在宅中、或いは、睡眠中とそれ以外の在宅中等といった、犯罪に対応できる程度が異なる状態が区別される。この生活パターンの推定、及び、対応関係情報については後に詳しく説明する。
【００２３】
記憶部１３０は、メモリ等の記憶領域で構成され、防犯必要度毎に住宅において実施されるべき防犯対策を示す防犯情報を記憶する機能を有する。この防犯情報は、例えば警備会社等の特定の事業者が提供する防犯サービス（防犯機器の設置及び制御、駆け付け等）を含む。防犯情報は予め記憶部１３０に記憶されていても良いし、例えばサーバ装置３０等の外部装置からダウンロード（受信）して記憶されても良い。
【００２４】
出力部１４０は、制御プログラムを実行するＣＰＵ、ディスプレイ等により実現され、記憶部１３０に記憶された防犯情報を参照して、決定部１２０により決定された防犯必要度に応じて防犯に関する情報を出力する機能を有する。この防犯に関する情報の出力は、例えば防犯管理装置１００のディスプレイへの防犯必要度及び防犯対策情報の表示である。防犯対策情報は、防犯必要度に対応した防犯対策を示す情報であり、例えば、防犯対策を実施するために警備会社等が提供する防犯サービスの情報を含む。
【００２５】
操作部１５０は、入力手段等により構成され、住宅２０の住人の操作を受ける機能を有する。
【００２６】
通信部１６０は、制御プログラムを実行するＣＰＵ、通信回路等により実現され、出力部１４０が防犯サービスの情報を含む防犯対策情報を表示した場合において操作部１５０が操作を受けたときには、サーバ装置３０にアクセスする機能を有する。サーバ装置３０は、住宅２０からのアクセスを検知してこれに対応して防犯サービスの詳細情報を提供し得る。また、このアクセスにより防犯管理装置１００は、例えばサーバ装置３０から防犯サービスの詳細情報の取得等を行い、表示等を行い得る。
【００２７】
（動作）
以下、上述の構成を備える防犯管理装置１００の動作について図３に即して説明する。
【００２８】
図３は、防犯管理装置１００による防犯管理処理を示すフローチャートである。この防犯管理処理は、例えば１日毎等に定期的に繰り返し実行されても良いし、住宅２０の住人による防犯管理装置１００の入力手段への操作等を契機として実行されても良い。
【００２９】
まず、防犯管理装置１００の取得部１１０は、電力測定装置２００が測定した住宅２０における分岐回路毎の消費電力の測定結果を受信することにより取得する（ステップＳ１１）。取得部１１０に取得された、消費電力の測定結果は決定部１２０に伝達される。
【００３０】
決定部１２０は、消費電力の測定結果に基づいて生活パターンを推定し（ステップＳ１２）、対応関係情報に基づいて生活パターンから住宅２０における防犯必要度を決定する（ステップＳ１３）。
【００３１】
ここで、一旦、図３に即した説明を中断し、図４〜図９を用いて、生活パターンの推定、対応関係情報に基づく防犯必要度の決定について詳しく説明する。
【００３２】
図４は、電力測定装置２００による、住宅２０の消費電力の測定単位となる分岐回路である回路グループの説明図である。同図に示すように、住宅２０における各部屋、各部分のコンセントや備え付けの電気機器を回路Ｇ１〜回路Ｇ６の６つの回路グループに区別し、電力測定装置２００は、回路グループ毎に消費電力を測定する。
【００３３】
図５は、決定部１２０による生活パターンの推定のための生活パターン推定処理を示すフローチャートである。
【００３４】
決定部１２０は、図４で示した回路グループ別の現在までの一定期間分（例えば１ヶ月前から現在まで）の消費電力の推移に基づいて、生活パターンの要素となる就寝時刻、起床時刻、外出時刻及び帰宅時刻を次のように推定する。まず、決定部１２０は、夜で深夜所定時（例えば午前２時）迄に回路Ｇ１及び回路Ｇ２の両方で消費電力が待機電力以下となった時間帯を検知することで、その時間帯の始期を就寝時刻と推定する（ステップＳ２１）。なお、各回路グループにおける待機電力の値は、予め設定しておく。次に、決定部１２０は、推定した就寝時刻の後に、回路Ｇ１及び回路Ｇ２のいずれかで消費電力が待機電力よりも大きくなった時間帯を検知することで、その時間帯の始期を起床時刻と推定する（ステップＳ２２）。次に、決定部１２０は、推定した起床時刻の後に、回路Ｇ１、回路Ｇ２及び回路Ｇ３の全てについて消費電力が待機電力以下となった時間帯を検知することで、その時間帯の始期を外出時間帯と推定する（ステップＳ２３）。次に、決定部１２０は、推定した外出時刻の後に、回路Ｇ１、回路Ｇ２及び回路Ｇ３のいずれかで、消費電力が待機電力よりも大きくなった時間帯を検知することで、その時間帯の始期を帰宅時刻と推定する（ステップＳ２４）。続いて、決定部１２０は、ステップＳ２１〜Ｓ２４において推定した就寝時刻、起床時刻、外出時刻及び帰宅時刻を、メモリ等の記憶領域に記録する（ステップＳ２５）。ステップＳ２１〜Ｓ２５における処理は、一定期間分の消費電力の測定結果に基づく推定が終了するまで繰り返される（ステップＳ２６）。図６は、生活パターンの推定結果の記録例を示す図である。ステップＳ２５が繰り返され、一定期間分の各日について起床時刻、外出時刻等が記録される。なお、同図では、推定した起床時刻等から算定される外出時間及び睡眠時間を付記している。図６に示したような一定期間分の起床時刻、外出時刻等の推定結果から、平均的な一日の生活パターン（例えば１時間単位の時間帯毎の睡眠、外出、帰宅等の状態変化や、外出時間、睡眠時間等）が計算により算定できる。
【００３５】
図７は、基準防犯必要度を例示する図である。図７に示す１時間単位の時間帯毎の基準防犯必要度は、生活パターンから防犯必要度を導く基準となる対応関係情報の１つである。この時間帯毎の基準防犯必要度は、一般に住宅において防犯対策を必要とする程度である防犯必要度の基準（標準値）を示し、例えば過去の防犯に関する経験的知識、防犯に関する理論的考察等に基づいて予め定められたものである。このように定められた基準防犯必要度は、一例としては、一般的に外出中の傾向が高い昼間の時間帯は在宅中の傾向が高い朝の時間帯よりも相対的に高い。なお、時間帯毎の基準防犯必要度は、住宅２０が属する地域の事情を勘案して定められたものであっても良く、また、季節毎にその季節の実情に対応して定められたものであっても良い。
【００３６】
図８は、地域の犯罪発生数から導出した、地域の防犯必要度を例示する図である。この図８は、住宅２０が属する地域において過去１年間に発生した犯罪について、時間帯毎に犯罪発生数を示しており、この犯罪発生数と図７に示した基準防犯必要度とから、地域の防犯必要度を計算により算定した結果を例示している。ある時間帯の地域の防犯必要度は、基準防犯必要度×（１＋その時間帯の犯罪の発生数÷総犯罪発生数）により計算される。この地域の犯罪発生数から導出した、地域の防犯必要度も対応関係情報の１つとなる。なお、対応関係情報は、この他に、ある地域において防犯対策を要する事象（犯罪等）が発生した１以上の各住宅における住人の生活パターンと当該事象とに基づいて定められた、生活パターンと防犯必要度との対応関係を示す情報であっても良い。この対応関係情報により、例えば、住人が在宅かつ睡眠中に犯罪が発生した住宅の数が在宅かつ非睡眠時に犯罪が発生した住宅の数より多かった場合に、睡眠時に対応する防犯必要度は、非睡眠時に対応する防犯必要度よりも高く定められ得る。
【００３７】
決定部１２０は、１時間毎の各時間帯について生活パターンの要素として、睡眠中、外出中、在宅中（ここでは非睡眠時を指す）の状態を区別し、同じ状態が連続する時間帯に対応する地域の防犯必要度の最大値を、その連続する時間帯の防犯必要度として決定する。図９は、決定部１２０が決定した住宅の防犯必要度を例示する図である。この他に、精度を高めて決定部１２０がある時間帯Ｔ１における住宅２０の防犯必要度を、例えば次の式１により計算することとしても良い。或いは、次の式２により計算することとしても良い。これらの計算に関する情報も上述した対応関係情報に該当する。
【００３８】
時間帯Ｔ１の住宅の防犯必要度（％）＝時間帯Ｔ１の地域の防犯必要度×Ｎａ×Ｎｂ  （式１）
【００３９】
時間帯Ｔ１の住宅の防犯必要度（％）＝時間帯Ｔ１の基準防犯必要度×Ｎａ×Ｎｂ    （式２）
【００４０】
ここで、Ｎａは、その時間帯において外出中又は睡眠中の発生確率であり、Ｎｂは、外出中又は睡眠中の防犯必要度算出用の係数である。例えば外出中の係数Ｎｂを睡眠中の係数Ｎｂよりも高く定め得る。なお、決定部１２０は、時間帯毎の防犯必要度のうち最高値を、住宅２０の１つの代表値としての防犯必要度と決定する。
【００４１】
以下、再び図３を用いて防犯管理装置１００による防犯管理処理の説明に戻る。
【００４２】
ステップＳ１３において決定部１２０により防犯必要度が決定された後に、出力部１４０は、記憶部１３０に記憶された防犯情報５０を参照して、その防犯必要度に対応する防犯対策を特定する（ステップＳ１４）。続いて、出力部１４０は、防犯に関する情報として、防犯対策を含む防犯対策情報及び防犯必要度を出力（ディスプレイに表示）する（ステップＳ１５）。図１０は、防犯情報５０を例示する図である。同図に示すように、生活パターン要素としての不在時（つまり外出中）及び在宅時のそれぞれについて、防犯必要度が高、中、低の３段階に区分して防犯必要度毎に、有効な防犯対策が対応付けられている。ここでは、防犯対策は、警備会社等による防犯サービスの例を示しているが、住宅の住人が自ら実施可能な防犯対策であっても良い。
【００４３】
図１１は、ステップＳ１５においてディスプレイに表示された防犯に関する情報を含む画面６０の例を示す図である。同図に示すように画面６０は、防犯必要度（代表値）と、防犯対策として警備会社による防犯サービスのプランＡ及びオプションプランＤを含む防犯対策情報とを示している。なお、画面６０は、プランＡの詳細情報の入手用のボタン６１ａ及びオプションプランＤの詳細情報の入手用のボタン６１ｂを含んでいる。なお、出力部１４０は、ステップＳ１５において、防犯必要度の代表値ではなく、時間帯毎（１時間毎）の防犯必要度をディスプレイに表示することとしても良い。
【００４４】
ステップＳ１５に続いて、防犯管理装置１００は、操作部１５０に対する所定操作がなされたか否かを判別する（ステップＳ１６）。所定操作は、例えば図１１に示した画面６０のボタン６１ａ又はボタン６１ｂの押下（例えばタッチパネルへのタッチ）である。
【００４５】
通信部１６０は、ステップＳ１６において所定操作がなされたと判別した場合には、外部のサーバ装置３０にアクセスして、所定操作に応じた防犯サービスの詳細情報を取得する（ステップＳ１７）。取得された防犯サービスの詳細情報は、出力部１４０によりディスプレイに表示される（ステップＳ１８）。
【００４６】
以上説明したように防犯管理処理を実行することで防犯管理装置１００は、住宅２０における防犯に役立つ情報（防犯必要度等）を出力する。このような防犯管理装置１００により、住宅２０における消費電力の推移等から客観的に推定された生活パターンに応じてその住宅の実情に沿った適切な防犯対策（防犯サービスのプラン等）が提示され得る。
【００４７】
（実施の形態２）
以下、実施の形態１で説明した防犯管理装置１００の一部を変形した防犯管理装置１００ａ（図１２）について説明する。防犯管理装置１００ａは、住宅２０の防犯必要度を決定するに際して、住宅２０に備えられた施錠システム３００から得た施錠情報と、住宅２０の住人に入力された防犯能力情報とに基づいて、防犯必要度の決定を行う点で、防犯管理装置１００と異なる。施錠情報は、一定期間における住宅２０のドア及び窓の施解錠状態の推移を示す情報である。また、防犯能力情報は、住宅２０に在宅している住人の年齢等であり、在宅している住人が防犯を要する事象の発生に対処できる能力を表すものであれば足りる。
【００４８】
防犯管理装置１００ａは、ハードウェア構成としては、防犯管理装置１００と同じであり、例えばＨＥＭＳコントローラ等といったコンピュータである。
【００４９】
図１２は、防犯管理装置１００ａの機能ブロック図である。この機能ブロック図では、防犯管理装置１００ａにおける防犯管理に関わる主な機能構成要素について示しており、防犯管理装置１００ａと連携する電力測定装置２００、施錠システム３００及びサーバ装置３０を付記している。なお、防犯管理装置１００と同一の機能構成要素には同じ符号を付しており、ここでの説明を省略する。施錠システム３００は、ドア或いは窓の施解錠装置の動作状況を管理して施錠情報を記録し、施錠情報を防犯管理装置１００ａに送出する。施錠システム３００は、例えば玄関のドアだけ等といった特定のドア或いは窓についての施錠情報を送出するものであっても良い。
【００５０】
防犯管理装置１００ａは、図１２に示すように機能面では取得部１１０ａ、決定部１２０ａ、記憶部１３０、出力部１４０、操作部１５０、通信部１６０及び入力部１７０を備える。
【００５１】
取得部１１０ａは、制御プログラムを実行するＣＰＵ、通信回路等により実現される。この取得部１１０ａは、取得部１１０と同様に電力測定装置２００が測定した住宅２０における各分岐回路に接続された電気機器の消費電力の分岐回路毎の測定結果を取得して、その取得した測定結果を決定部１２０ａに伝達する機能を有する。取得部１１０ａは、更に、施錠システム３００から送出される施錠情報を取得して決定部１２０ａに伝達する機能を有する。
【００５２】
入力部１７０は、制御プログラムを実行するＣＰＵ、入力手段等により実現され、住宅２０に在宅中の住人についての防犯を要する事象の発生に対処できる能力を示す防犯能力情報の入力を受け付ける機能を有する。
【００５３】
決定部１２０ａは、制御プログラムを実行するＣＰＵにより実現され、取得部１１０ａにより取得された測定結果及び施錠情報に基づいて、住宅において防犯対策を必要とする程度である防犯必要度を決定する機能を有する。防犯必要度の決定は、住宅２０の消費電力の測定結果から住宅２０の住人の生活パターンを推定し、防犯能力情報及び施錠情報を踏まえ、生活パターンと防犯必要度との対応関係を示す予め定められた対応関係情報に基づき、推定した生活パターンに応じてなされる。決定部１２０ａは、施錠情報を例えば統計処理して外出中或いは睡眠中における平均的な施錠率、解錠率等を算定し、その算定結果に基づいて防犯必要度を決定する。例えば、外出中或いは睡眠中における施錠率が低いと、その施錠率が高い場合に比べて防犯必要度は高くなるように決定する。また、決定部１２０ａは、防犯能力情報を参照して、在宅している住人の年齢等に基づいて、防犯必要度を決定する。例えば、小学生以下の子供のみが在宅である時間帯は、大人が在宅である時間帯よりも防犯必要度が高くなるように決定する。
【００５４】
上述した以外の点については、防犯管理装置１００ａは、防犯管理装置１００と同様であり、図３に示した動作を行う。この防犯管理装置１００ａによれば、防犯管理装置１００よりも精度良く防犯必要度の決定を行える可能性があり、決定した防犯必要度に応じて、住宅における防犯に役立つ情報を出力することができる。
【００５５】
（他の実施の形態等）
以上、実施の形態１及び２により防犯管理装置について説明したが、上述した実施の形態は一例にすぎず、各種の変更、付加、省略等が可能であることは言うまでもない。
【００５６】
上述した決定部１２０或いは決定部１２０ａは、生活パターンの推定を、消費電力に係る測定結果に基づき行うこととしたが、消費電力の他に、ガス、水道等の使用状況の測定結果等を生活パターンの推定の基礎として用いても良い。また、消費電力に係る測定結果等に加えて施錠情報に基づいて生活パターン（例えば睡眠中で施錠していない状態、その状態の頻度等）の推定を行うこととしても良い。また、消費電力の測定結果から生活パターンを推定する際の推定精度を向上させるために、住人による家族構成等の情報の入力値を参照することとしても良い。なお、睡眠中、外出中、在宅中等の生活パターンの要素の時間帯を推定するために、図５で示したものと異なるアルゴリズムを用いても良い。なお、生活パターンの要素は、住宅の住人の生活上生じる状態であれば足り、その状態と防犯必要度とを対応付ける対応関係情報が例えば過去の防犯に関する経験的知識、防犯に関する理論的考察等に基づいて予め定められれば良い。また、消費電力の測定結果は必ずしも分岐回路毎の測定結果でなくても良く、例えば住宅全体或いは住宅の一部で使用する電力量の測定結果であっても良い。住宅全体或いは住宅の一部における消費電力の推移によっても、例えば消費電力が所定閾値未満となる外出中とその閾値以上となる在宅中とを区別して住人の生活パターンを推定し得る。
【００５７】
また、上述したサーバ装置３０は、防犯管理装置１００と連携し、防犯管理装置１００の防犯管理処理を一部分担しても良い。即ち、防犯管理装置１００が実行する防犯管理方法の一部をサーバ装置３０において分担することとしても良い。サーバ装置３０は、取得部１１０、決定部１２０、記憶部１３０及び出力部１４０と同様の機能を担い、住宅２０の電力測定装置２００からの消費電力の測定結果を取得して防犯必要度及び防犯対策情報を出力（防犯管理装置１００に送信）することとしても良い。この場合には、防犯管理装置１００は受信した防犯必要度及び防犯対策情報をディスプレイ等に表示することができる。
【００５８】
また、例えば、上述したサーバ装置３０或いは別の装置（コンピュータ）が、演算処理を担うサーバとして、決定部１２０等の機能の全部又は一部を分担することとし、防犯管理装置１００が、そのサーバと通信することにより、サーバを利用して、決定部１２０等の機能を実現することとしても良い。また、防犯管理装置１００の操作部１５０の機能を、例えば防犯管理装置１００と通信可能な外部の入力端末（例えばタッチパネルを備える端末）に分担させても良い。このように、取得部１１０、決定部１２０、記憶部１３０、出力部１４０、操作部１５０等のそれぞれに相当する機能部を複数の装置に分散させて、防犯管理装置１００に代わるシステムとして、その複数の装置を備える防犯管理システムを実現しても良い。
【００５９】
また、上述した防犯管理装置或いはサーバ装置３０は、防犯サービスを実行するための防犯機器（防犯カメラ、サイレン発報装置等）を住宅２０の内外に設置した場合においては防犯機器の制御を行っても良い。
【００６０】
また、上述した防犯管理装置の出力部１４０は出力として、ディスプレイに表示する代わりに、プロジェクタで表示しても良い。また、表示の代わりに印刷、スピーカ等からの音声出力といった提示を行っても良く、外部の表示装置（例えばタブレット等のＨＥＭＳ機器）やその他の装置へのデータ送信等を行っても良い。外部の表示装置は、テレビ受像機、スマートフォン等であっても良く、出力部１４０からのデータ送信を受けると、外部の表示装置は受信したデータに基づく表示を行い得る。また、出力部１４０からのデータ送信に対して警備会社等に設置された端末装置或いはサーバ装置が受信して、受信したデータに基づく表示を、その端末装置或いはサーバ装置が備える表示装置に行わせても良い。上述の各表示装置は、上述の防犯管理システムにおいて、出力部１４０に相当する機能部（出力部）として機能し得る。
【００６１】
また、上述の防犯管理装置による処理手順（図３及び図５に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図３及び図５に示す手順等）の全部又は一部は、ハードウェアにより実現されても、ソフトウェアを用いて実現されても良い。なお、ソフトウェアによる処理は、コンピュータに含まれるＣＰＵがメモリに記憶された制御用のプログラムを実行することにより実現されるものである。また、そのプログラムを記録媒体に記録して頒布や流通させても良い。例えば、頒布された制御プログラムをコンピュータにインストールして、ＣＰＵに実行させることで、コンピュータに図３及び図５に示した処理手順の全部又は一部を行わせることが可能となる。
【００６２】
また、上述した各実施の形態で示した構成要素及び機能を任意に組み合わせることで実現される形態も本発明の範囲に含まれる。
【００６３】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００６４】
以下、本発明の一態様に係る防犯管理装置及びこの防犯管理装置に関連する防犯管理方法及び制御プログラム、並びに、防犯管理システムについての構成、変形態様、効果等について示す。
【００６５】
（１）本発明の一態様に係る防犯管理装置１００、１００ａは、住宅２０における消費電力の測定結果を取得する取得部１１０、１１０ａと、取得部１１０、１１０ａにより取得された測定結果に基づいて住宅２０において防犯対策を必要とする度合いである防犯必要度を決定する決定部１２０、１２０ａと、決定部１２０、１２０ａにより決定された防犯必要度に応じて防犯に関する情報を出力する出力部１４０とを備える防犯管理装置である。
【００６６】
この構成により、その住宅２０において防犯に役立つ情報（例えば防犯対策等）が出力されるようになる。
【００６７】
（２）例えば、取得部１１０、１１０ａが取得する測定結果は、住宅２０における消費電力の経時的変化を示し、決定部１２０、１２０ａは、その測定結果から住宅２０における住人の生活パターンを推定し、推定した生活パターンに応じて、防犯必要度の決定を行うこととしても良い。
【００６８】
これにより、住宅２０の住人の生活パターンに適した防犯に役立つ情報が出力されるようになる。
【００６９】
（３）例えば、決定部１２０、１２０ａは、防犯対策を要する事象が発生した１以上の住宅各々における住人の生活パターンとその事象とに基づいて定められた、生活パターンと防犯必要度との対応関係を示す対応関係情報に基づいて、防犯必要度の決定を行うこととしても良い。
【００７０】
これにより、過去に発生した防犯対策を要する事象（例えば犯罪）の履歴情報を活用して防犯に役立つ情報が出力されるようになる。
【００７１】
（４）例えば、決定部１２０、１２０ａは、生活パターンと防犯必要度との対応関係を示す、予め定められた対応関係情報に基づいて、防犯必要度の決定を行うこととしても良い。
【００７２】
これにより、過去の防犯に関する経験的知識、防犯に関する理論的考察等から対応関係情報を定めておくことで、客観的に住宅２０の防犯必要度が決定され、その防犯必要度に応じて住宅２０の防犯に役立つ情報が出力されるようになる。
【００７３】
（５）例えば、決定部１２０、１２０ａは、消費電力の測定結果に基づき所定期間毎に住宅２０における住人が外出しているか、在宅中でありかつ睡眠中であるか、及び、在宅中でありかつ睡眠中でないかを区別する生活パターンを推定することにより防犯必要度の決定を行うこととしても良い。
【００７４】
これにより、住宅２０の住人が犯罪等の事象に対処できる程度が異なる各状態を踏まえて、適切に防犯必要度が決定されるようになる。
【００７５】
（６）例えば、決定部１２０、１２０ａは、所定の単位時間（例えば１時間）毎に防犯必要度の決定を行い、出力部１４０は、所定の単位時間毎の防犯必要度を示す情報を表示することとしても良い。
【００７６】
これにより、住宅２０の住人は、時間毎の防犯必要度を確認できるようになる。
【００７７】
（７）例えば、防犯管理装置１００、１００ａは更に、防犯必要度毎にその防犯必要度に対応して住宅において実施されるべき防犯対策を示す防犯情報を記憶する記憶部１３０を備え、出力部１４０は、防犯情報を参照して、決定部１２０、１２０ａにより決定された防犯必要度に対応する防犯対策を示す防犯対策情報を表示することとしても良い。
【００７８】
これにより、住宅２０の住人は、防犯対策を視認できるようになる。
【００７９】
（８）例えば、出力部１４０は、防犯対策情報に、防犯対策を実施するために所定の防犯サービスの情報を含ませ、防犯管理装置１００、１００ａは更に、住宅２０の住人の操作を受ける操作部１５０と、出力部１４０が所定の防犯サービスの情報を含む防犯対策情報を表示した場合において操作部１５０が操作を受けたときには所定の防犯サービスに関連する情報を提供する外部のサーバ装置３０にアクセスする通信部１６０とを備えることとしても良い。所定の防犯サービスは、例えば警備会社等の特定の事業者が提供するサービス（防犯機器の設置、駆け付け等）である。
【００８０】
これにより、住宅２０の住人は、例えば、防犯対策を実施するための所定の防犯サービスについて情報を得る等が可能になる。
【００８１】
（９）例えば、取得部１１０ａは、住宅２０の消費電力の測定結果の他に住宅２０の施解錠状態を示す施錠情報を取得し、決定部１２０ａは、消費電力の測定結果と施錠情報とに基づいて防犯必要度の決定を行うこととしても良い。
【００８２】
これにより、防犯管理装置１００ａは、例えば外出中における住宅２０のドアの施錠率等を踏まえて精度良く防犯必要度を決定し得るようになる。
【００８３】
（１０）例えば、防犯管理装置１００ａは更に、住宅２０に在宅中の住人についての防犯を要する事象の発生に対処できる能力を示す防犯能力情報の入力を受け付ける入力部１７０を備え、決定部１２０ａは、入力部１７０により受け付けられた入力に係る防犯能力情報にも基づいて、防犯必要度の決定を行うこととしても良い。
【００８４】
これにより、防犯管理装置１００ａは、例えば在宅中の住人の能力を踏まえて精度良く防犯必要度を決定し得るようになる。
【００８５】
（１１）本発明の一態様に係る防犯管理方法は、住宅２０における消費電力の測定結果を受信することにより取得する取得ステップＳ１１と、取得ステップＳ１１において取得された測定結果に基づいて住宅２０において防犯対策を必要とする度合いである防犯必要度を決定する決定ステップＳ１３と、決定ステップＳ１３において決定された防犯必要度に応じて防犯に関する情報を提示（出力）する提示ステップＳ１５とを含む防犯管理方法である。防犯に関する情報の提示は、例えば住宅の住人に防犯に関する情報を認識させる表示、音声再生、印刷等であり、例えば警備会社等の者に防犯に関する情報を認識させる表示等である。
【００８６】
これにより、例えば住宅の住人に防犯に役立つ情報が認識されるようになり、また例えば警備会社等の者に防犯に関する情報が認識されるようになる。
【００８７】
（１２）本発明の一態様に係る制御プログラムは、コンピュータに所定処理（防犯管理処理）を実行させるための制御プログラムであって、所定処理は、住宅における消費電力の測定結果を受信することにより取得する取得ステップＳ１１と、取得ステップＳ１１において取得された測定結果に基づいて住宅において防犯対策を必要とする度合いである防犯必要度を決定する決定ステップＳ１３と、決定ステップＳ１３において決定された防犯必要度に応じて防犯に関する情報を提示（出力）する提示ステップＳ１５とを含む制御プログラムである。
【００８８】
これにより、コンピュータを、防犯管理処理を実行する防犯管理装置１００、１００ａとして機能させることができるようになる。
【００８９】
（１３）本発明の一態様に係る防犯管理システムは、住宅２０における消費電力の測定結果を取得する取得部（例えば取得部１１０、１１０ａ）と、取得部により取得された測定結果に基づいて住宅２０において防犯対策を必要とする度合いである防犯必要度を決定する決定部（例えば決定部１２０、１２０ａ）と、決定部により決定された防犯必要度に応じて防犯に関する情報を出力する出力部（例えば出力部１４０）とを備える防犯管理システムである。
【００９０】
これにより、住宅２０において防犯に役立つ情報（例えば防犯対策等）が出力されるようになる。
【符号の説明】
【００９１】
３０  サーバ装置
１００、１００ａ  防犯管理装置
１１０、１１０ａ  取得部
１２０、１２０ａ  決定部
１３０  記憶部
１４０  出力部
１５０  操作部
１６０  通信部
１７０  入力部
【図１】
0006467760.tif 000002
【図２】
0006467760.tif 000003
【図３】
0006467760.tif 000004
【図４】
0006467760.tif 000005
【図５】
0006467760.tif 000006
【図６】
0006467760.tif 000007
【図７】
0006467760.tif 000008
【図８】
0006467760.tif 000009
【図９】
0006467760.tif 000010
【図１０】
0006467760.tif 000011
【図１１】
0006467760.tif 000012
【図１２】
0006467760.tif 000013